(57)【要約】【課題】放射素子と短絡素子とからなる逆Ｆ形のアンテナ素子において、放射素子長が短くても所望の共振周波数を得る。【解決手段】放射素子３と短絡素子４とからなる逆Ｆ形のアンテナ素子において、放射素子３と短絡素子４との分岐点にインダクタ５が装荷されている。【選択図】図１
2011087040.tif 000002
【特許請求の範囲】
【請求項１】
放射素子と短絡素子とからなる逆Ｆ形のアンテナ素子において、
放射素子と短絡素子との分岐点にインダクタが装荷されたことを特徴とするアンテナ素子。
【請求項２】
請求項１に記載のアンテナ素子において、
前記放射素子は、板状であるアンテナ素子。
【請求項３】
請求項１に記載のアンテナ素子において、
前記放射素子は、メアンダ形状であるアンテナ素子。
【発明の詳細な説明】
【技術分野】
【０００１】
本発明は、アンテナ素子に関し、特に、逆Ｆ形のアンテナ素子に関する。
【背景技術】
【０００２】
一般的に、放射素子と短絡素子とからなる逆Ｆ形アンテナにおいては、放射素子の長さが所望の共振周波数となるように調整されている。
【０００３】
図５は、一般的な逆Ｆ形アンテナの構成を示す図であり、図６は、図５に示した逆Ｆ形アンテナのインピーダンス特性を示す図である。
【０００４】
図５に示すように、Ｌ字型の放射素子３０３と短絡素子３０４とからなる逆Ｆ形アンテナにおいては、放射素子３０３の長さＬが所望の共振周波数となるように調整されており、それにより、図６に示すようにその共振点が所望のものとなっている。
【０００５】
このような逆Ｆ形アンテナは、携帯無線機に利用されているが、近年、携帯無線機の高機能化による内部実装の高密度化に伴い、逆Ｆ形アンテナの放射素子長を十分に得ることができず、その場合、インピーダンス特性が悪化してしまうことになる。
【０００６】
図７は、放射素子長を短くした逆Ｆ形アンテナの例を示す図であり、図８は、図７に示した逆Ｆ形アンテナのインピーダンス特性を示す図である。
【０００７】
図７に示すように、図５に示したものに対して、放射素子４０３の長さＬをαだけ短くすると、図８に示すように、インピーダンス特性が悪化し、共振点がずれてしまう。
【０００８】
ここで、携帯無線機に用いられるＬ字型のアンテナの放射素子にＧＮＤ線及び信号線を接続するとともに、そのＧＮＤ線及び信号線のそれぞれの上にインダクタを配置し、アンテナ効率の低下を防止する技術が考えられている（例えば、特許文献１参照。）。そこで、信号線を短絡素子として用いることが考えられる。その場合、短絡素子や放射素子上にインダクタが配置されていることになる。
【先行技術文献】
【特許文献】
【０００９】
【特許文献１】特開２００６−４９９７８号公報
【発明の概要】
【発明が解決しようとする課題】
【００１０】
図９は、逆Ｆ形アンテナの放射素子上にインダクタを配置した例を示す図であり、図１０は、図９に示した逆Ｆ形アンテナのインピーダンス特性を示す図である。
【００１１】
図９に示すように、Ｌ字型の放射素子５０３と短絡素子５０４とからなる逆Ｆ形アンテナにおいて、放射素子５０３を構成する水平部５０３ａと垂直部５０３ｂのうち、垂直部５０３ｂ上にインダクタ５０５が配置されているものにおいては、図１０に示すように、アンテナの入力インピーダンスに対して直列Ｌの整合定数としての効果になってしまい、共振周波数の最適化には至らない。
【００１２】
本発明は、上述した技術が有する問題点に鑑みてなされたものであって、放射素子と短絡素子とからなる逆Ｆ形のアンテナ素子において、放射素子長が短くても所望の共振周波数を得ることができるアンテナ素子を提供することを目的とする。
【課題を解決するための手段】
【００１３】
上記目的を達成するために本発明は、
放射素子と短絡素子とからなる逆Ｆ形のアンテナ素子において、
放射素子と短絡素子の分岐点にインダクタが装荷されたことを特徴とする。
【発明の効果】
【００１４】
以上説明したように本発明は、放射素子と短絡素子との分岐点にインダクタが装荷されている構成としたため、放射素子の短絡素子との分岐点から見た放射素子の見かけ上の長さが長くなり、それにより、放射素子長が短くても所望の共振周波数を得ることができる。
【図面の簡単な説明】
【００１５】
【図１】本発明のアンテナ素子の実施の一形態を用いた携帯無線機の内部構成を示す図である。
【図２】図１に示した逆Ｆ形アンテナのインピーダンス特性を示す図である。
【図３】本発明のアンテナ素子の他の実施の形態を示す図である。
【図４】本発明のアンテナ素子の他の実施の形態を示す図である。
【図５】一般的な逆Ｆ形アンテナの構成を示す図である。
【図６】図５に示した逆Ｆ形アンテナのインピーダンス特性を示す図である。
【図７】放射素子長を短くした逆Ｆ形アンテナの例を示す図である。
【図８】図７に示した逆Ｆ形アンテナのインピーダンス特性を示す図である。
【図９】逆Ｆ形アンテナの放射素子上にインダクタを配置した例を示す図である。
【図１０】図９に示した逆Ｆ形アンテナのインピーダンス特性を示す図である。
【発明を実施するための形態】
【００１６】
以下に、本発明の実施の形態について図面を参照して説明する。
【００１７】
図１は、本発明のアンテナ素子の実施の一形態を用いた携帯無線機の内部構成を示す図である。
【００１８】
本形態は図１に示すように、Ｌ字型の放射素子３と短絡素子４とからなる逆Ｆ形アンテナである。放射素子３は、給電部２を介して携帯無線機の基板１と接続されており、また、放射素子３と短絡素子４との分岐点にインダクタ５が装荷されている。
【００１９】
以下に、上記のように構成された逆Ｆ形アンテナの動作について説明する。
【００２０】
本形態は図１に示すように、放射素子３と短絡素子４との分岐点にインダクタ５が装荷されている。そのため、放射素子３の短絡素子４との分岐点から見た放射素子３の見かけ上の長さが長くなる。
【００２１】
図２は、図１に示した逆Ｆ形アンテナのインピーダンス特性を示す図である。
【００２２】
図１に示した逆Ｆ形アンテナは上述したように放射素子３の見かけ上の長さが長くなるため、放射素子３の長さを短くした場合であっても、図２に示すように、良好なインピーダンス特性を得ることができるようになる。
【００２３】
（他の実施の形態）
図３及び図４は、本発明のアンテナ素子の他の実施の形態を示す図である。
【００２４】
本発明のアンテナ素子としては、図１に示した逆Ｆ形アンテナに限らず、例えば、図３に示すように放射素子１０３が板状の逆Ｆ形アンテナや、図４に示すように放射素子２０３がメアンダ形状の逆Ｆ形アンテナが考えられる。
【符号の説明】
【００２５】
１    基板
２    給電部
３，１０３，２０３    放射素子
４，１０４，２０４    短絡素子
５，１０５，２０５    インダクタ
【図１】
2011087040.tif 000003
【図２】
2011087040.tif 000004
【図３】
2011087040.tif 000005
【図４】
2011087040.tif 000006
【図５】
2011087040.tif 000007
【図６】
2011087040.tif 000008
【図７】
2011087040.tif 000009
【図８】
2011087040.tif 000010
【図９】
2011087040.tif 000011
【図１０】
2011087040.tif 000012